(57)【特許請求の範囲】
【請求項１】
医療装置リードであって、
基端を有する基端領域と、先端を有する先端領域とを有する可撓性本体と、
前記リードの前記可撓性本体の前記基端に結合されているコネクタであって、前記リードを埋込型パルス発生器に電気的及び機械的に接続するためのコネクタと、
前記可撓性本体の前記先端領域における電極と、
中実である誘電性の心棒と、
前記コネクタに電気的に結合される基端と、前記電極に電気的に結合される先端とを有するケーブル導体と、を備え、前記ケーブル導体は、該ケーブル導体の軸方向の引張強度を向上するべく前記誘電性の心棒の周囲に形成された同一半径の複数の巻回部分を含む一重螺旋コイル状ファイラーからなり、０．５０８ｍｍ（０．０２０インチ）未満の外径を有する、医療装置リード。
【請求項２】
前記螺旋コイル状ファイラーのピッチは、前記ファイラーの直径の１倍から２倍である、請求項１に記載の医療装置リード。
【請求項３】
前記螺旋コイル状ファイラーの前記ピッチは、前記ケーブル導体の少なくとも一部分において異なる、請求項２に記載の医療装置リード。
【請求項４】
前記ファイラーの直径は、０．０７６ｍｍ（０．００３インチ）未満である、請求項１乃至３のいずれか一項に記載の医療装置リード。
【請求項５】
前記誘電性の心棒は、前記ケーブル導体の内径を占める、請求項１乃至４のいずれか一項に記載の医療装置リード。
【請求項６】
前記可撓性本体は複数の内腔を備え、前記ケーブル導体は前記複数の内腔のうちの１つを通じて延在する、請求項１乃至５のいずれか一項に記載の医療装置リード。
【請求項７】
医療装置リードであって、
基端を有する基端領域と、先端を有する先端領域とを有する可撓性本体と、
前記リードの前記可撓性本体の前記基端に結合されているコネクタであって、前記リードを埋込型パルス発生器に電気的及び機械的に接続するためのコネクタと、
前記可撓性本体の前記先端におけるチップ電極と、
前記可撓性本体の前記先端領域における１つ以上のリング電極と、
前記コネクタに電気的に結合される基端と、前記チップ電極に電気的に結合される先端とを有するコイル状導体と、
中実である１つ以上の誘電性の心棒と、
前記コネクタに電気的に結合される基端と、前記１つ以上のリング電極のうちの１つに電気的に結合される先端とを各々有する１つ以上のケーブル導体と、を備え、各ケーブル導体は、該ケーブル導体の軸方向の引張強度を向上するべく前記１つ以上の誘電性の心棒のうちの１つの周囲に形成された同一半径の複数の巻回部分を含む一重螺旋コイル状ファイラーからなり、各ケーブル導体の外径は、前記コイル状導体の外径よりも小さい、医療装置リード。
【請求項８】
前記１つ以上のケーブル導体の各々の前記外径は、０．５０８ｍｍ（０．０２０インチ）未満である、請求項７に記載の医療装置リード。
【請求項９】
前記１つ以上のケーブル導体の各々について、前記螺旋コイル状ファイラーのピッチは、前記ファイラーの直径の１倍から２倍である、請求項７又は８に記載の医療装置リード。
【請求項１０】
前記１つ以上のケーブル導体のうちの少なくとも１つの前記螺旋コイル状ファイラーの前記ピッチは、前記ケーブル導体の少なくとも一部分において異なる、請求項９に記載の医療装置リード。
【請求項１１】
前記１つ以上のケーブル導体の各々について、前記ファイラーの直径は、０．０７６ｍｍ（０．００３インチ）未満である、請求項７に記載の医療装置リード。
【請求項１２】
前記１つ以上の誘電性の心棒の各々は、前記１つ以上のケーブル導体のうちの１つの内径を占める、請求項７乃至１１のいずれか一項に記載の医療装置リード。
【請求項１３】
前記可撓性本体は複数の内腔を備え、前記コイル状導体と、前記１つ以上のケーブル導体とは、異なる内腔を通じて延在する、請求項７乃至１２のいずれか一項に記載の医療装置リード。
【請求項１４】
前記チップ電極は、固定螺旋部を備える、請求項７乃至１３のいずれか一項に記載の医療装置リード。
【請求項１５】
医療装置リードであって、
基端を有する基端領域と、先端を有する先端領域とを有する可撓性本体と、
前記リードの前記可撓性本体の前記基端に結合されているコネクタであって、前記リードを埋込型パルス発生器に電気的及び機械的に接続するためのコネクタと、
前記可撓性本体の前記先端領域における１つ以上の電極であって、ペーシング信号の送達と心臓組織の電気的活動の感知との少なくとも一方を行うように構成されている前記１つ以上の電極と、
中実である１つ以上の誘電性の心棒と、
前記コネクタに電気的に結合される基端と、前記１つ以上の電極のうちの１つに電気的に結合される先端とを各々有する１つ以上のケーブル導体と、を備え、各ケーブル導体は、該ケーブル導体の軸方向の引張強度を向上するべく前記１つ以上の誘電性の心棒のうちの１つの周囲に形成された同一半径の複数の巻回部分を含む一重螺旋コイル状ファイラー
からなり、前記１つ以上のケーブル導体の各々の外径は、０．５０８ｍｍ（０．０２０インチ）未満である、医療装置リード。
【請求項１６】
前記１つ以上のケーブル導体の各々について、前記螺旋コイル状ファイラーのピッチは、前記ファイラーの直径の１倍から２倍である、請求項１５に記載の医療装置リード。
【請求項１７】
前記１つ以上のケーブル導体のうちの少なくとも１つの前記螺旋コイル状ファイラーの前記ピッチは、前記ケーブル導体の少なくとも一部分において異なる、請求項１６に記載の医療装置リード。
【請求項１８】
前記１つ以上のケーブル導体の各々について、前記ファイラーの直径は、０．０７６ｍｍ（０．００３インチ）未満である、請求項１５乃至１７のいずれか一項に記載の医療装置リード。
【請求項１９】
前記１つ以上の誘電性の心棒の各々は、前記１つ以上のケーブル導体のうちの１つの内径を占める、請求項１５乃至１８のいずれか一項に記載の医療装置リード。
【請求項２０】
前記ファイラーは絶縁性のコーティングを備える、請求項１５乃至１９のいずれか一項に記載の医療装置リード。
【発明の詳細な説明】
【技術分野】
【０００１】
本開示は、埋込型医療装置に関する。より詳細には、本開示は、ＭＲＩ環境における電極の発熱を低減するように構成されたユニファイラーコイル状ケーブルを備える医療装置リードに関する。
【背景技術】
【０００２】
磁気共鳴画像法（Ｍａｇｎｅｔｉｃ  Ｒｅｓｏｎａｎｃｅ  Ｉｍａｇｉｎｇ：ＭＲＩ）は、核磁気共鳴法を利用して患者の身体内の画像を提供する非侵襲的な撮像方法である。典型的には、ＭＲＩシステムは、約０．２〜３テスラ（Ｔ）の磁場強度を有する磁気コイルの使用を伴う。この方法の際、身体組織は、磁場に対して垂直な平面において、電磁エネルギを有するＲＦパルスに暫時曝露される。そのパルスから得られる電磁エネルギは、組織における励起された原子核の緩和特性を測定することにより身体組織を撮像するのに使用されることが可能である。
【発明の概要】
【発明が解決しようとする課題】
【０００３】
撮像の際、ペースメーカや心臓除細動器等の埋込型医療装置において使用される埋込型装置リードは、ＭＲＩシステムによって生成される電磁放射を受け取る場合がある。このエネルギは、組織と接触した電極へとリードを通じて移動し、これによって、接触点における温度上昇がもたらされる場合がある。組織の発熱の程度は、典型的には、リードの長さ、リードの伝導率又はインピーダンス、及びリード電極の表面積等の要因に関係している。さらに、磁場に対する曝露によって、望ましくない電圧がリードに対して誘導される場合もある。
【課題を解決するための手段】
【０００４】
本明細書は、小さな直径のユニファイラーコイル状ケーブルを含む医療装置リードの様々な実施形態とともに、そのようなリードを備える医療装置システムを開示する。
例１では、医療装置リードは、基端を有する基端領域と、先端を有する先端領域とを有する可撓性本体を備える。コネクタは、リードの可撓性本体の基端に結合され、これによって、リードは、埋込型パルス発生器に電気的及び機械的に接続されている。医療装置リードは、可撓性本体の先端領域における電極と、基端及び先端を有するケーブル導体であって、コネクタに電気的に結合される基端と電極に電気的に結合される先端とを有するケーブル導体とを備える。ケーブル導体は、同一半径の複数の巻回部分を含み、約０．５０８ｍｍ（約０．０２０インチ）未満の外径を有する一重螺旋コイル状ファイラーからなる。
【０００５】
例２では、螺旋コイル状ファイラーのピッチは、ファイラーの直径の約１倍から約２倍である、例１による医療装置リード。
例３では、螺旋コイル状ファイラーのピッチは、ケーブル導体の少なくとも一部分において異なる、例１又は２による医療装置リード。
【０００６】
例４では、ファイラーの直径は、約０．０７６ｍｍ（約０．００３インチ）未満である、例１乃至３のいずれか一例による医療装置リード。
例５では、螺旋コイル状ファイラーを通じて螺旋コイル状ファイラーと同軸に延在する誘電性の心棒をさらに備える、例１乃至４のいずれか一例による医療装置リード。
【０００７】
例６では、可撓性本体は複数の内腔を備え、ケーブル導体は複数の内腔のうちの１つを
通じて延在する、例１乃至５のいずれか一例による医療装置リード。
例７では、医療装置リードは、基端を有する基端領域と、先端を有する先端領域とを有する可撓性本体を備える。コネクタは、リードの可撓性本体の基端に結合され、これによって、リードは、埋込型パルス発生器に電気的及び機械的に接続される。チップ電極は、可撓性本体の先端において存在し、１つ以上のリング電極は、可撓性本体の先端領域において存在する。医療装置リードは、さらに、コネクタに電気的に結合される基端とチップ電極に電気的に結合される先端とを有するコイル状導体と、基端及び先端を有する１つ以上のケーブル導体であって、各々がコネクタに電気的に結合される基端と１つ以上のリング電極のうちの１つに電気的に結合される先端とを有する１つ以上のケーブル導体とを備える。各ケーブル導体は、同一半径の複数の巻回部分を含む一重螺旋コイル状ファイラーからなる。ケーブル導体の各々の外径は、コイル状導体の外径よりも小さい。
【０００８】
例８では、１つ以上のケーブル導体の各々の外径は、約０．５０８ｍｍ（約０．０２０インチ）未満である、例７による医療装置リード。
例９では、１つ以上のケーブル導体の各々について、螺旋コイル状ファイラーのピッチは、ファイラーの直径の約１倍から約２倍である、例７又は８による医療装置リード。
【０００９】
例１０では、１つ以上のケーブル導体のうちの少なくとも１つの螺旋コイル状ファイラーのピッチは、ケーブル導体の少なくとも一部分において異なる、例７乃至９のいずれか一例による医療装置リード。
【００１０】
例１１では、１つ以上のケーブル導体の各々について、ファイラーの直径は、約０．０７６ｍｍ（約０．００３インチ）未満である、例７乃至１０のいずれか一例による医療装置リード。
【００１１】
例１２では、各螺旋コイル状ファイラーを通じて螺旋コイル状ファイラーと同軸に延在する誘電性の心棒をさらに備える、例７乃至１１のいずれか一例による医療装置リード。
例１３では、可撓性本体は複数の内腔を備え、コイル状導体と、１つ以上のケーブル導体とは、異なる内腔を通じて延在する、例７乃至１２のいずれか一例による医療装置リード。
【００１２】
例１４では、チップ電極は、固定螺旋部を備える、例７乃至１３のいずれか一例による医療装置リード。
例１５では、医療装置リードは、基端を有する基端領域と、先端を有する先端領域とを有する可撓性本体を備える。コネクタは、リードの可撓性本体の基端に結合され、これによって、リードは、埋込型パルス発生器に電気的及び機械的に接続される。１つ以上の電極は、可撓性本体の先端領域において存在し、ペーシング信号の送達と心臓組織の電気的活動の感知との少なくとも一方を行うように構成されている。各１つ以上のケーブル導体は、コネクタに電気的に結合される基端と、１つ以上の電極のうちの１つに電気的に結合される先端とを各々有する。各ケーブル導体は、同一半径の複数の巻回部分を含む一重螺旋コイル状ファイラーからなる。１つ以上のケーブル導体の各々の外径は、約０．５０８ｍｍ（約０．０２０インチ）未満である。
【００１３】
例１６では、１つ以上のケーブル導体の各々について、螺旋コイル状ファイラーのピッチは、ファイラーの直径の約１倍から約２倍である、例１５による医療装置リード。
例１７では、１つ以上のケーブル導体のうちの少なくとも１つの螺旋コイル状ファイラーのピッチは、ケーブル導体の少なくとも一部分において異なる、例１５又は１６による医療装置リード。
【００１４】
例１８では、１つ以上のケーブル導体の各々について、ファイラーの直径は、約０．０
７６ｍｍ（約０．００３インチ）未満である、例１５乃至１７のいずれか一例による医療装置リード。
【００１５】
例１９では、各螺旋コイル状ファイラーを通じて螺旋コイル状ファイラーと同軸に延在する誘電性の心棒をさらに備える、例１５乃至１８のいずれか一例による医療装置リード。
【００１６】
例２０では、ファイラーは絶縁性のコーティングを備える、例１５乃至１９のいずれか一例による医療装置リード。
複数の実施形態が開示される一方、本発明のさらに別の実施形態は、以下の詳細な説明から当業者に対して明らかになり、その詳細な説明によって本発明の例示的な実施形態が示され説明される。したがって、図面及び詳細な説明は、性質において例示であり限定するものではないと看做されるべきである。
【図面の簡単な説明】
【００１７】
【図１】心臓の複合断面図及び一実施形態による埋込型医療装置及びリードの透視図。
【図２】図１に示したリードの一実施形態の側面図。
【図３】図１に示したリードの一部分の斜視図。リード本体を通じて延在する、小さな直径のユニファイラーコイル状ケーブルを示している。
【発明を実施するための形態】
【００１８】
本発明には様々な改変及び代替の形態の余地が存在するが、具体的な実施形態を図面に例として示し、以下において詳細に説明する。しかしながら、これは本発明を説明される特定の実施形態に限定することを意図するものではない。反対に、本発明が添付の特許請求の範囲によって定義される発明の範囲内に属する全ての改変、均等、及び代替の形態を包含することが意図されている。
【００１９】
図１は、一実施形態による埋込型医療装置（ＩＭＤ）１０の透視図である。ＩＭＤ１０は、パルス発生器１２と心臓リード１４とを備える。リード１４は、心臓１６とパルス発生器１２との間において電気信号を伝えるように動作する。リード１４は、基端領域１８と先端領域２０とを有する。リード１４は、基端領域１８から先端領域２０へと延在するリード本体、すなわち可撓性本体２２を備える。基端領域１８はパルス発生器１２に結合され、先端領域２０は心臓１６に結合される。先端領域２０は、伸縮自在な固定螺旋部（ｆｉｘａｔｉｏｎ  ｈｅｌｉｘ）２４を備え、その固定螺旋部２４は、後の図面に関してより詳細に説明され、心臓１６内における先端領域２０の位置決め、取り付けまたはその両方を行う。一代替実施形態では、先端領域２０は、心臓２０に対してリード１４を固定する（例えば、冠静脈、又は心室の肉柱に）ための複数のタイン又は他の構造を備える。別の代替実施形態では、リード１４は、リード１４を神経に結合させるための電極カフを備える神経リードとして構成されるか、又は脊髄への挿入用に構成される。
【００２０】
リード１４の先端領域２０は、専用の双極電極構成を収容する、軸方向に小型な設計を有する。リード１４は、これに代えて他の電極構成を有していてもよい。本明細書においてさらに詳細に説明され、追加の図面において示されるように、リード１４の基端領域１８におけるコネクタをリード１４の先端領域２０における１つ以上の電極へと電気的に結合させる１つ以上の導体は、電極における発熱を低減するべく、ＭＲＩ環境におけるエネルギの受け取りを最小にするように構成される。
【００２１】
パルス発生器１２は、典型的には、パルス発生器１２をリード１４に結合させるコネクタヘッダ１３を備える。コネクタヘッダ１３は、典型的には、リード１４の基端領域１８
の近くに形成されるコネクタアセンブリ（図示していないが、本明細書において説明される図２の４０を参照）の一部であるコネクタ（図示せず）を受けることができる１つ以上の穴１７を含んでおり、接続ヘッダ１３の電気接点（図示せず）は、コネクタアセンブリ（図示せず）のリード接点（図示せず）と結合している。
【００２２】
接続ヘッダ１３は、バッテリ、電気回路、及び当業者に既知の他の構成要素を含む密閉容器１５に装着されることが可能である。接続ヘッダ１３における電気接点（図示せず）は、リード１４をパルス発生器１２に電気的に結合させるべく、密閉容器１５を通じて延在するように据え付けられたフィードスルー（図示せず）を介して電気的に接続される当業者に既知のタイプであってよい。
【００２３】
パルス発生器１２は、患者の胸部又は腹部における埋込位置すなわちポケット内において皮下に埋め込まれることが可能である。リード１４が神経リードである実施形態では、パルス発生器は、あるいは、患者の背部又は臀部に埋め込まれ得る。パルス発生器１２は、治療用電気刺激を患者に送達するための本技術分野において既知の又は後に開発される任意の埋込型医療装置であってよい。様々な実施形態では、パルス発生器１２は、ペースメーカ、埋込型心臓除細動器（ＩＣＤ）、両室ペーシングのために構成された心臓再同期（ＣＲＴ）装置であったり、ペーシング、ＣＲＴ、及び除細動性能の組み合わせを備えたりする。
【００２４】
リード本体２２は、リードの製造に適した可撓性の生体適合材料から作成される場合がある。様々な実施形態では、リード本体２２は、可撓性の電気絶縁性の材料から作成される。一実施形態では、リード本体２２は、シリコーンゴムから作成される。別の実施形態では、リード本体２２は、ポリウレタンから作成される。様々な実施形態では、リード本体２２の各セグメントは、意図される臨床環境及び動作環境に対しリード本体２２の特性を調整するように、様々な材料から作成される。様々な実施形態では、リード本体２２の基端と先端とは、所望の機能を提供するように選択された異なる材料から作成される。
【００２５】
心臓１６は、右心房２６、右心室２８、左心房３０、及び左心室３２を備える。心臓１６は、内皮の内膜、すなわち心筋層３６を覆う心内膜３４を備える。示されるいくつかの実施形態では、リードの先端領域２０において位置決めされる固定螺旋部２４は、心内膜３４を貫通し、心筋層３６内に埋められる。あるいは、リード１４は、本明細書において説明されるように受動的固定リードとして構成されてもよい。一実施形態では、ＩＭＤ１０は、複数のリード１４を備える。例えば、ＩＭＤ１０は、パルス発生器１２と右心室２８との間において電気信号を伝えるように構成された第１リード１４と、パルス発生器１２と右心房２６との間において電気信号を伝えるように構成された第２リード（図示せず）とを備える場合がある。追加のリードも使用されてよい。例えば、様々な実施形態では、冠静脈リード（図示せず）は、心臓１６の左心房３０、左心室３２、又はその両方を刺激するために利用される場合がある。
【００２６】
図１に示される例示的な実施形態では、固定螺旋部２４は、右心室２８の心内膜３４を貫通し、心臓１６の心筋層３６に埋められる。いくつかの実施形態では、固定螺旋部２４は、電気的に活性であり、したがって、心臓１６の電気活動を感知するのに使用されたり、刺激パルスを右心室２８に印加するのに使用されたりすることが可能である。他の実施形態では、固定螺旋部２４は電気的に活性ではない。さらに他の実施形態では、リード１４は、受動的構造（例えば、タイン、スパイラル等）を使用して心臓１６に対して固定される。
【００２７】
動作中、リード１４は、ＩＭＤ１２と心臓１６との間において電気信号を伝えるように構成されることが可能である。例えば、ＩＭＤ１２がペースメーカである実施形態では、
リード１４は、心臓１６をペーシングするための電気刺激を送達するのに利用されることが可能である。ＩＭＤ１２が埋込型心臓除細動器である実施形態では、リード１４は、心臓発作又は不整脈等の事象に応じて電気ショックを心臓１６に送達するのに利用されることが可能である。いくつかの実施形態では、ＩＭＤ１２はペーシング性能と除細動性能の両方を備える。
【００２８】
電気信号は、リード１４を通じて延在する１つ以上の導体によってＩＭＤ１２と先端領域２０における電極との間において運ばれる。１つ以上の導体は、リード１４の基端領域１８においてＩＭＤ１２とインタフェースで接続するために適したコネクタに電気的に結合され、また先端領域２０において１つ以上の電極と電気的に結合される。様々な実施形態によると、１つ以上の導体は、一重ファイラーからなり小さな外径を有するコイル状ケーブルを備える。いくつかの実施形態では、コイル状ケーブルは、低電圧信号を１つ以上の電極に送達するように構成される。コイルピッチは、リード１４の機能及び動作に対する磁気共鳴画像法（ＭＲＩ）のスキャンの影響を最小にするべく小さくできる（例えば、ケーブルのファイラーの直径の１〜２倍）。
【００２９】
図２は、いくつかの実施形態によるリード１４を等角投影により示したものである。コネクタアセンブリ４０は、リード１４の基端領域１８若しくは基端又はその近くに配置される。コネクタアセンブリ４０は、コネクタ４２と端子ピン４４とを備える。コネクタ４２は、リード本体２２に結合されるように構成され、リード１４をパルス発生器１２上の接続ヘッダ１３に機械的及び電気的に結合させるように構成される（図１参照）。様々な実施形態では、端子ピン４４は、コネクタ４２から基端方向へ延在し、いくつかの実施形態では、端子ピン４４は、リード本体２２を通じて長手方向に延在する導体部材（この図では見えない）に結合され、これによって、リード本体２２に対して端子ピン４４を回転させることにより導体部材がリード本体２２内において回転させられる。いくつかの実施形態では、端子ピン４４は、ガイドワイヤ又は挿入スタイレットを収容するべく、端子ピン４４を通じて延在する開口部（図示せず）を備える。
【００３０】
先端アセンブリ４６は、リード１４若しくはリード本体２２の先端領域２０若しくは先端又はその近くに配置される。ＩＭＤ１０（図１参照）の機能上の必要条件や患者の治療必要性によっては、リード１４の先端領域２０は、１つ以上の電極を備える場合がある。示した実施形態では、先端領域２０は、ショック電極（例えば、除細動ショックを心臓１６に提供するための）として機能することができる１つ以上のコイル電極４８，４９を備える。いくつかの実施形態では、コイル電極４８，４９は、組織が内部に成長することを制御する（すなわち、促進し又は妨げる）ように構成されたコーティングを備える。様々な実施形態では、リード１４は、１つのコイル電極のみを備える場合がある。様々な他の実施形態では、リード１４は、コイル電極４８，４９に代えて又はコイル電極４８，４９に加えて、リード本体２２に沿って電極４７等の１つ以上の低電圧電極（例えば、リング電極）を備える。存在する場合、低電圧電極は、比較的低電圧のペーシング／感知電極として動作する。当業者によって認められるように、広範囲の電極の組み合わせは、様々な実施形態の範囲内においてリード１４中に組み入れられる場合がある。
【００３１】
先端アセンブリ４６はハウジング５０を備え、そのハウジング５０内には、固定螺旋部２４、すなわち螺旋電極が少なくとも部分的に配置されている。本明細書においてより詳細に説明されるように、ハウジング５０は、機械（ハウジング５０に対して先端及び基端へ固定螺旋部２４が動くことを可能にするが、固定螺旋部２４の過度な伸長を低減又は抑制するべく、固定螺旋部２４の先端への進行（ハウジング５０に対して）を制限する構造（この図では見えない）を備える）を収容している。本明細書において記載されるように、固定螺旋部２４は、リード１４の先端領域２０を心臓１６内に係留する（ａｎｃｈｏｒ）ためのアンカー手段として動作する。代替の実施形態では、リード１４は、受動的構造
（例えば、タイン、スパイラル等）を使用して心臓１６に対して固定される。
【００３２】
いくつかの実施形態では、固定螺旋部２４、すなわち螺旋電極は、電気的に活性であり、低電圧のペーシング／感知電極として使用される。いくつかの実施形態では、固定螺旋部２４は、電気的に導電性の材料（ＥＬＧＩＬＯＹ（登録商標）、ＭＰ３５Ｎ（登録商標）、タングステン、タンタル、イリジウム、白金、チタン、パラジウム、ステンレス鋼、又はこれらの材料の合金等）から作成される。
【００３３】
リード１４は、本開示にしたがったリードの１つの例示的な実装であり、リード１４に関して他の構成も可能である。例えば、コイル電極４８，４９は互いに近接して示されている一方、コイル電極４９は、あるいは、リード１４上において、より基端寄りに配置されてもよい。別例として、リード１４は、ペーシング信号、信号の感知、又はその両方を近接する組織に提供するべく、先端領域２０に沿って複数の環状電極を備える場合がある。
【００３４】
図３は、本開示の実施形態によるリード１４の一部分の斜視図である。リード１４は、コイル導体６０とコイル状ケーブル導体６２，６４とを備える。示されている実施形態では、リード１４は、複数の内腔６６，６８，７０を有するリード本体を備える。コイル導体６０は内腔６６を通過し、コイル状ケーブル導体６２は内腔６８を通過し、コイル状ケーブル導体６４は内腔７０を通過する。いくつかの実施形態では、内腔６６，６８，７０は、基端領域１８におけるコネクタ４０から先端領域２０まで実質的に平行に延在する。
【００３５】
コイル導体６０は、リード１４の基端領域１８においてパルス発生器１２と接続するように構成されている。例えば、コイル導体６０は、コネクタ４２と電気的に接続されることが可能である。示されている実施形態では、コイル導体６０は、リード１４を通じてコイル状ケーブル導体６２，６４に対し平行に延在する。コイル導体６０の長手方向の軸は、コイル状ケーブル導体６２，６４の長手方向の軸から離間している。いくつかの実施形態では、コイル導体６０は、リード１４の先端領域２０における１つ以上の電極に電気的に結合されている。例えば、いくつかの実装では、コイル導体６０は、固定螺旋部２４、リング電極４７、又はその両方に電気的に結合されている場合がある。コイル導体６０は、あるいは又はさらに他の電極に接続されていてもよい。コイル導体６０に接続された電極に伝達される、ＭＲＩにより誘導されるエネルギの量を低減するべく、コイル導体６０の巻回部分は、コイルのインダクタンスを最大にするように緊密に巻き付けられる場合がある。いくつかの実施形態では、近接する巻回部分同士の間隔を最小にして巻数を最大にするべく、コイル導体６０はユニファイラーである。他の実施形態では、コイル導体６０はマルチファイラーである。
【００３６】
コイル状ケーブル導体６２，６４も、リード１４の基端領域１８においてパルス発生器１２と接続するように構成されている（例えば、コネクタ４２との電気的接続を介して）。いくつかの実施形態では、コイル状ケーブル導体６２，６４は、パルス発生器１２と先端領域２０における１つ以上の電極との間において低電圧信号を運ぶように構成されている。例えば、図２に示されているリード１４の実施形態に関して、コイル状ケーブル導体６２，６４の少なくとも一方は、コイル電極４８，４９の基端、先端、又はその両方に接続される場合がある。このようにして、コイル状ケーブル導体６２，６４は、パルス発生器１２とコイル電極４８，４９との間において感知信号、ペーシング信号、又はその両方を運ぶように動作する。代替の実施形態では、コイル状ケーブル導体６２，６４の少なくとも一方は、リング電極４７、固定螺旋部２４、又はその両方に接続されてもよい。
【００３７】
２つのコイル状ケーブル導体６２，６４が示されたとは言え、リード１４は、あるいは、任意の数のコイル状ケーブル導体６２，６４を備えていてもよい。例えば、一代替実施
形態では、リード１４は、４つのケーブル導体を備え、各ケーブル導体は、コイル電極４８，４９の基端又は先端のうちの１つに接続されている。別の代替構成では、リード１４は、先端領域において複数の環状電極を備え、コイル状ケーブル導体は、複数の環状電極の各々に接続される。
【００３８】
磁気共鳴画像法（ＭＲＩ）場に対するリード１４の曝露によって、リード導体（例えば、コイル状ケーブル導体６２，６４）の励起により、先端領域１８における電極の局所的な発熱がもたらされる場合がある。高インダクタンス（＞１μＨ）の導体は、ＭＲＩ場における励起に対する抵抗性がより大きい。導体のインダクタンスは、導体が直線状であるかコイル状であるかを含む幾何学的特性によって決定される。コイル状ケーブル導体６２，６４等のコイル状又は巻き付けられた導体について、いくつかのパラメータはインダクタンスに影響を与え、それらのパラメータには、コイルピッチ、コイル５２の外径、コイル５２の断面積、コイル５２を構成するファイラーの数が含まれる。例えば、いくつかの実施形態では、コイルピッチ（すなわち、近接するコイルの巻回部分についての中心同士の距離）は小さい場合がある（例えば、ケーブルのファイラーの直径の１〜２倍）。導電性コイル６２は、図３においてファイラーの直径とおよそ等しいピッチを有して示されている。したがって、コイル５２の寸法及び特性は、磁気共鳴画像法（ＭＲＩ）場がリード１４の性能及び応答に対して影響を与えることを最小にするように選択されることが可能である。
【００３９】
コイル状ケーブル導体６２，６４は、約０．５０８ミリメートル（ｍｍ）（約０．０２０インチ）より小さな外径ｄを有する場合がある。例えば、いくつかの例示的な実装では、コイル状ケーブル導体６２，６４の外径ｄは、約０．２０３ｍｍ（約０．００８インチ）から約０．３５６ｍｍ（約０．０１４インチ）の範囲にある。いくつかの実施形態では、各コイル状ケーブル導体６２，６４は、同一半径の複数の巻回部分を用いて螺旋コイル状導電性材料の一重ファイラー（すなわち、ユニファイラー）からなる。コイル状ケーブル導体６２，６４の巻回部分は、密接に巻き付けられ得る。例えば、いくつかの実施形態では、コイル状ケーブル導体６２，６４は、ファイラーの直径の約１〜２倍の間のピッチを有する。そのピッチは、コイル状ケーブル導体６２，６４の全長において一貫している場合もあれば、コイル状ケーブル導体６２，６４の少なくとも一部分において異なる場合もある。可変のピッチのセクションをコイル状ケーブル導体６２，６４中に組み入れる１つの例示的な手法は、米国特許出願公開第２００９／０１４９９３３号明細書（“可変コイル導体ピッチを有する埋込型リード（Ｉｍｐｌａｎｔａｂｌｅ  Ｌｅａｄ  Ｈａｖｉｎｇ  ａ  Ｖａｒｉａｂｌｅ  Ｃｏｉｌ  Ｃｏｎｄｕｃｔｏｒ  Ｐｉｔｃｈ）”と題される）において説明されており、その全体を参照によって本明細書において援用する。いくつかの実施形態では、コイル状ケーブル導体６２，６４のファイラーは、約０．０１８ｍｍ（約０．０００７インチ）から０．０７６ｍｍ（０．００３インチ）の間の直径を有する。コイル状ケーブル導体６２，６４のために適した１つの例示的な材料は、銀のコアを含むＭＰ３５Ｎである。コイル状ケーブル導体６２，６４のために適した他の例示的な材料は、ＭＰＴａ（タンタルを含んだＭＰ３５Ｎ）、白金で被覆したタンタル、白金で被覆したＭＰ３５Ｎ、ＭＰ３５Ｎ、ニチノールを含むが、これらに限定されない。いくつかの実施形態では、コイル状ケーブル導体６２，６４の各々のファイラーは、絶縁性である。
【００４０】
説明されたユニファイラーコイル状ケーブル導体を備える複数のリードは、ＭＲＩ環境に曝露され、ユニファイラーコイル状ケーブル導体の各々に装着された電極における放熱を測定した。比較のため、バイファイラー及びトリファイラーコイル状ケーブル導体を備える同様のリードも、ＭＲＩ環境に曝露し、関連する電極を、放熱について検査した。各場合において、コイル状ケーブル導体は、先端コイル電極（例えば、図２におけるコイル電極４８）の先端に接続した。以下のテーブル１に示される結果によって、ユニファイラーコイル状ケーブル導体は、対応するマルチファイラーの構成よりも非常に小さなＭＲＩ
による誘導されたエネルギを電極に伝達することが実証された。
【００４１】
【表１】
0005905611.tif 000002
小さな外径ｄを有し小さなピッチを有するコイル状ケーブル導体６２，６４は、製造及び使用の際に損傷を受けやすい場合がある。例えば、コイル状ケーブル導体６２，６４等のユニファイラーコイルは、十分にトルクを伝達しない場合があり、リード１４が典型的に直面する力によって、コイル状ケーブル導体６２，６４がコイル状ケーブル導体６２，６４の複数部分において応力集中を経験させられる場合があり、これによって、コイル状ケーブル導体６２，６４の早過ぎる疲労がもたらされかねない。これが起こることを抑制するべく、コイル状ケーブル導体６２，６４のうちの少なくとも一方は、製造後及び仕様の際に保持される可撓性の非導電性の心棒７２の周囲に形成される場合がある。いくつかの実施形態では、心棒７２は、高分子材料（延伸ポリテトラフルオロエチレン（ｅＰＴＦＥ）、層状ｅＰＴＦＥ、ポリテトラフルオロエチレン（ＰＴＦＥ）、ポリエチレンテレフタラート（ＰＥＴＥ）、エチレン／テトラフルオロエチレン共重合体（ＥＴＦＥ）、フッ化エチレンプロピレン（ＦＥＰ）、ポリエーテルエーテルケトン（ＰＥＥＫ）、ポリアミド、ポリイミド、パラアラミド合成繊維、ポリウレタン等）からなる。心棒７２は、後の製造プロセスや長期の埋込の際のためにコイル状ケーブル導体６２，６４の軸方向の引張強度を増大させる。すなわち、心棒７２によって、コイル状ケーブル導体６２，６４の強度がコイル状ケーブル導体６２，６４の長手方向の軸に沿った力に関して改良される。この改良された軸方向の引張強度は、コイル状ケーブル導体６２，６４の内側の直径を実質的に占める可撓性で弾性の心棒７２によって提供される。製造中、コイル状ケーブル導体６２，６４は、緊密に巻き付けられた構成において心棒７２の回りに巻かれることが可能である。代替の実施形態では、心棒７２は、製造後にコイル状ケーブル導体６２，６４から取り除かれる。
【００４２】
様々な改変及び追加は、本発明の範囲から逸脱することなく説明された例示的な実施形態に対してなされ得る。例えば、以上で説明された実施形態は特定のフィーチャを参照しているとは言え、本発明の範囲には、フィーチャの異なる組み合わせを有する実施形態や、説明されたフィーチャの全てを含まない実施形態も含まれる。したがって、本発明の範囲は、特許請求の範囲内に属する全てのそのような代替物、改変、及び変形をこれらの均等物とともに含むことが意図されている。
【図１】
0005905611.tif 000003
【図２】
0005905611.tif 000004
【図３】
0005905611.tif 000005